(57)【要約】【課題】無線基地局伝送装置（ＲＮＣ）のＣプレーン制御機能とＵプレーン制御機能を物理的に複数の装置に分離させた構成において、制御系統を複雑にすることなく、プロトコルエンティティ間での制御情報のやり取りを迅速に行えるようにする。【解決手段】ＲＮＣ１４は、ユーザデータの伝送制御を行う複数のユーザプレーンサーバ（ＵＰＳ）２２と、ユーザデータを伝送するための制御信号の伝送制御を行うコントロールプレーンサーバ（ＣＰＳ）２１とに分離されている。ＣＰＳ２１には、ユーザデータを伝送するための制御信号の伝送制御を行うＣプレーン制御部４２を設け、同様に各ＵＰＳ２２には、ユーザデータの伝送制御を行うＵプレーン制御部４７を設け、Ｕプレーン制御部４７とＣプレーン制御部４２との間に、制御情報の送信のための論理コネクションを生成する。【選択図】          図１
2004194064.tif 000002
【特許請求の範囲】
【請求項１】
移動機に関するユーザデータの伝送制御を行う複数のユーザプレーンサーバと、ユーザデータを伝送するための制御信号の伝送制御を行うコントロールプレーンサーバとから構成される無線基地局制御装置を有する無線アクセスネットワークにおいて、
前記ユーザプレーンサーバは、移動機に関する前記ユーザデータの伝送制御を行うプロトコルエンティティと、Ｕプレーン制御手段とを含み、
前記コントロールプレーンサーバは、ユーザデータを伝送するための制御信号の伝送制御を行うプロトコルエンティティと、Ｃプレーン制御手段とを含み、
前記Ｕプレーン制御手段と前記Ｃプレーン制御手段との間に、制御情報の送信用の論理コネクションが生成されて、前記Ｕプレーン制御手段及び前記Ｃプレーン制御手段は相互に送信の相手方となることを特徴とする、無線アクセスネットワーク。
【請求項２】
前記制御情報は、制御するプロトコルエンティティを前記ユーザプレーンサーバと前記コントロールプレーンサーバとの間で一意に識別するプロトコルエンティティ識別子を含む１つ以上の制御コマンドと、該コマンドに対する１つ以上の確認応答コマンドとの少なくとも一方を含み、
前記Ｃプレーン制御手段及び前記Ｕプレーン制御手段は、いずれも、受け取った要求と、制御するプロトコルエンティティと制御コマンドへの応答方法と応答時間との組とが１対１で対応付けられた第１のテーブルを備え、
前記Ｃプレーン制御手段及び前記Ｕプレーン制御手段は、前記第１のテーブルを参照して前記制御情報を生成して前記相手方に送信し、前記受信した制御情報からプロトコルエンティティ識別子と制御コマンドの組を抽出して前記受信した制御情報に含まれる各プロトコルエンティティへ前記抽出した制御コマンドを配信し、前記各プロトコルエンティティから受信した確認応答から制御情報を生成して前記相手方に返信する、請求項１に記載の無線アクセスネットワーク。
【請求項３】
前記制御情報において前記制御コマンドは制御順に並べられており、
前記Ｕプレーン制御手段及び前記Ｃプレーン制御手段は、前記プロトコルエンティティ識別子と前記制御コマンドの組を抽出する際にシーケンシャルに抽出し、前記制御情報に含まれる各プロトコルエンティティへ前記制御コマンドを配信する際に前記抽出した順序にしたがって配信し、前記各プロトコルエンティティから受信した前記確認応答から制御情報を生成して返信する際に、前記抽出した順序に並び替えて前記制御情報を生成する、請求項２に記載の無線アクセスネットワーク。
【請求項４】
前記制御コマンドは、さらに応答識別子を含み、
前記Ｕプレーン制御手段及び前記Ｃプレーン制御手段は、前記プロトコルエンティティ識別子と前記制御コマンドの組を抽出する際に、前記プロトコルエンティティと前記応答識別子と前記制御コマンドの組として抽出し、前記抽出したプロトコルエンティティ識別子と応答識別子の組を記憶領域へ記憶し、前記各プロトコルエンティティから受信した確認応答から制御情報を生成して返信する際に、前記応答識別子にしたがって前記制御情報を生成する、請求項２または３に記載の無線アクセスネットワーク。
【請求項５】
前記制御情報は、該制御情報に含まれるトランザクション識別子により、前記ユーザプレーンサーバと前記コントロールプレーンサーバとの間で一意に識別され、
前記Ｕプレーン制御手段及び前記Ｃプレーン制御手段は、トランザクションを送信後、再送時間内に前記相手方から前記トランザクションに対する応答を受信できない場合に当該トランザクションを再送し、往復伝送時間と制御コマンドごとの応答時間の和をもとに前記再送時間を決定する、請求項２乃至４のいずれか１項に記載の無線アクセスネットワーク。
【請求項６】
前記制御情報は、トランザクション識別子と、プロトコルエンティティの制御対象を前記ユーザプレーンサーバと前記コントロールプレーンサーバとの間で一意に識別する１つ以上の制御対象識別子と、１つ以上の制御コマンドとの組を含み、
前記ユーザプレーンサーバが起動したタイミングで、前記Ｕプレーン制御手段は、前記制御対象識別子を捕捉し、前記捕捉した制御対象識別子と前記ユーザプレーンサーバが管理するリソースとを対応付けて前記Ｕプレーン制御手段の記憶領域へ記憶し、前記記憶した全ての制御対象識別子を含む制御情報を前記Ｃプレーン制御手段へ送信し、
前記Ｃプレーン制御手段は、前記受信した制御情報に含まれる制御対象識別子と前記コントロールプレーンサーバが管理するリソースとを対応付けて前記Ｃプレーン制御手段の記憶領域へ記憶し、
前記Ｕプレーン制御手段及び前記Ｃプレーン制御手段は、前記要求に含まれる制御対象識別子と一致する制御対象識別子を当該制御手段の記憶領域から検索し、制御対象識別子単位で、前記要求と前記第１のテーブルを参照して制御コマンドを組み立てて制御情報を生成し前記相手方に送信する、請求項２乃至５のいずれか１項に記載の無線アクセスネットワーク。
【請求項７】
前記制御コマンドは、要求、コマンド名及びコマンド識別子と情報要素との組、前記要求を前記ユーザプレーンサーバと前記コマンドプレーンサーバとの間で一意に識別する要求識別子と情報要素キーワードとの組のいずれか、あるいはそれらの組合せを含み、
前記Ｕプレーン制御手段及び前記Ｃプレーン制御手段のいずれかは、前記要求識別子と情報要素キーワードの組と、前記情報要素とが１対Ｎで対応付けられた第２のテーブルを含み、前記制御コマンドから前記要求識別子と前記情報要素キーワードを抽出して制御コマンドを生成し、前記各プロトコルエンティティへ前記制御コマンドを配信する、請求項２乃至６のいずれか１項に記載の無線アクセスネットワーク。
【請求項８】
前記ユーザプレーンサーバが起動したタイミングで、前記Ｕプレーン制御手段は、前記制御対象識別子を連続した値で捕捉し、
前記Ｃプレーン制御手段は、前記受信した制御情報に含まれる制御対象識別子とコントロールプレーンサーバが管理するリソースとを対応付け、前記ユーザプレーンサーバ単位でグループ化して前記Ｃプレーン制御手段の記憶領域へ記憶し、
前記Ｕプレーン制御手段及び前記Ｃプレーン制御手段は、要求と、ユーザプレーンサーバ単位で一括制御するか否かを表わすフラグとが１対１で対応付けられた第３のテーブルを含み、前記要求に含まれる制御対象識別子と一致する制御対象識別子を含むユーザプレーンサーバ単位グループを記憶領域から検索し、ユーザプレーンサーバグループ単位で前記要求から制御コマンドを組み立てて制御情報を生成し、前記相手方へ送信する、請求項６または７に記載の無線アクセスネットワーク。
【請求項９】
複数の基地局を有し、前記基地局の各々は、移動機が所属し得るセルを管轄する、請求項１乃至８のいずれか１項に記載の無線アクセスネットワーク。
【請求項１０】
前記ユーザプレーンサーバは、移動機が所属し得るセルを管轄する基地局機能を備える、請求項１乃至８のいずれか１項に記載の無線アクセスネットワーク。
【請求項１１】
無線基地局制御装置と、複数の基地局と、前記基地局の各々が管轄するセル内に存在する移動機とを含み、前記無線基地局制御装置は、前記移動機に関するユーザデータの伝送制御を行うプロトコルエンティティを有する複数のユーザプレーンサーバと、ユーザデータを伝送するための制御信号の伝送制御を行うプロトコルエンティティを有するコントロールプレーンサーバとから構成される無線アクセスネットワークにおける動作制御方法において、
前記制御情報には、制御するプロトコルエンティティを前記ユーザプレーンサーバと前記コントロールプレーンサーバとの間で一意に識別するプロトコルエンティティ識別子を含む１つ以上の制御コマンドと、該コマンドに対する１つ以上の確認応答コマンドとの少なくとも一方が含まれており、
前記ユーザプレーンサーバ及び前記コントロールプレーンサーバの双方において、受け取った要求と、制御するプロトコルエンティティと制御コマンドへの応答方法と応答時間との組とが１対１で対応付けられた第１のテーブルが設けられており、
前記ユーザプレーンサーバと前記コントロールプレーンサーバとの間に、相互に送信の相手方となるように、制御情報の送信のための論理コネクションを生成する段階と、
前記第１のテーブルを参照して前記制御情報を生成して前記相手方に送信する段階と、
前記受信した制御情報からプロトコルエンティティ識別子と制御コマンドの組を抽出して前記受信した制御情報に含まれる各プロトコルエンティティへ前記抽出した制御コマンドを配信する段階と、
前記各プロトコルエンティティから受信した確認応答から制御情報を生成して前記相手方に返信する段階と、
を有することを特徴とする動作制御方法。
【請求項１２】
前記制御情報において前記制御コマンドは制御順に並べられており、
前記配信する段階は、前記プロトコルエンティティ識別子と前記制御コマンドの組をシーケンシャルに抽出し、前記制御情報に含まれる各プロトコルエンティティへ前記制御コマンドを配信する際に前記抽出した順序にしたがって配信する段階を含み、
前記返信する段階は、前記抽出した順序に並び替えて前記制御情報を生成する段階を含む、請求項１１に記載の動作制御方法。
【請求項１３】
前記制御コマンドは、さらに応答識別子を含んでおり、
前記配信する段階は、前記プロトコルエンティティと前記応答識別子と前記制御コマンドの組として抽出し、前記抽出したプロトコルエンティティ識別子と応答識別子の組を記憶領域へ記憶する段階を含み、
前記返信する段階は、前記応答識別子にしたがって前記制御情報を生成する段階を含む、請求項１１または１２に記載の動作制御方法。
【請求項１４】
前記制御情報は、該制御情報に含まれるトランザクション識別子により、前記ユーザプレーンサーバと前記コントロールプレーンサーバとの間で一意に識別されるものであり、
前記ユーザプレーンサーバと前記コントロールプレーンサーバが、トランザクションを送信後、再送時間内に前記相手方から前記トランザクションに対する応答を受信できない場合に当該トランザクションを再送する段階と、
往復伝送時間と制御コマンドごとの応答時間の和をもとに前記再送時間を決定する段階と、を有する、請求項１１乃至１３のいずれか１項に記載の動作制御方法。
【請求項１５】
前記制御情報は、トランザクション識別子と、プロトコルエンティティの制御対象を前記ユーザプレーンサーバと前記コントロールプレーンサーバとの間で一意に識別する１つ以上の制御対象識別子と、１つ以上の制御コマンドとの組を含んでおり、
前記ユーザプレーンサーバが起動したタイミングで、前記ユーザプレーンサーバにおいて、前記制御対象識別子を捕捉し、前記捕捉した制御対象識別子と前記ユーザプレーンサーバが管理するリソースとを対応付けて前記ユーザプレーンサーバの記憶領域へ記憶し、前記記憶した全ての制御対象識別子を含む制御情報を前記コントロールプレーンサーバへ送信する段階と、
前記コントロールプレーンサーバにおいて、前記受信した制御情報に含まれる制御対象識別子と前記コントロールプレーンサーバが管理するリソースとを対応付けて前記コントロールプレーンサーバの記憶領域へ記憶する段階と、
前記要求に含まれる制御対象識別子と一致する制御対象識別子を当該サーバの記憶領域から検索し、制御対象識別子単位で、前記要求と前記第１のテーブルを参照して制御コマンドを組み立てて制御情報を生成し前記相手方に送信する段階と、を有する請求項１１乃至１４のいずれか１項に記載の動作制御方法。
【請求項１６】
前記制御コマンドは、要求、コマンド名及びコマンド識別子と情報要素との組、前記要求を前記ユーザプレーンサーバと前記コマンドプレーンサーバとの間で一意に識別する要求識別子と情報要素キーワードとの組のいずれか、あるいはそれらの組合せを含んでおり、
前記ユーザプレーンサーバ及び前記コントロールプレーンサーバのいずれかは、前記要求識別子と情報要素キーワードの組と、前記情報要素とが１対Ｎで対応付けられた第２のテーブルを含んでおり、
前記制御コマンドから前記要求識別子と前記情報要素キーワードを抽出して制御コマンドを生成し、前記各プロトコルエンティティへ前記制御コマンドを配信する段階をさらに有する、請求項１１乃至１５のいずれか１項に記載の動作制御方法。
【請求項１７】
要求と、ユーザプレーンサーバ単位で一括制御するか否かを表わすフラグとが１対１で対応付けられた第３のテーブルが設けられており、
前記ユーザプレーンサーバが起動したタイミングで、前記ユーザプレーンサーバにおいて、前記制御対象識別子を連続した値で捕捉する段階と、
前記コントロールプレーンサーバにおいて、前記受信した制御情報に含まれる制御対象識別子と前記コントロールプレーンサーバが管理するリソースとを対応付け、前記ユーザプレーンサーバ単位でグループ化して前記コントロールプレーンサーバの記憶領域へ記憶する段階と、
前記要求に含まれる制御対象識別子と一致する制御対象識別子を含むユーザプレーンサーバ単位グループを記憶領域から検索し、ユーザプレーンサーバグループ単位で前記要求から制御コマンドを組み立てて制御情報を生成し、前記相手方へ送信する段階と、を有する、請求項１５または１６に記載の動作制御方法。
【発明の詳細な説明】
【０００１】
【発明の属する技術分野】
本発明は、無線アクセスネットワーク（ＲＡＮ：Radio Access Network）及びその動作制御方法に関し、特に、Ｗ−ＣＤＭＡ(Wideband-Code Division Multiple Access)セルラ方式における無線基地局制御装置（ＲＮＣ：Radio Network Controller）の改良に関する。
【０００２】
【従来の技術】
図１７は、従来の無線アクセスネットワークを含む移動通信システムである、Ｗ−ＣＤＭＡ通信システムの構成を示す図である。
【０００３】
図示されるように、無線アクセスネットワーク（ＲＡＮ）１は、無線基地局制御装置（ＲＮＣ：Radio Network Controller）４，５とノードＢ６〜９によって構成されており、移動機（ＭＥ：Mobile Equipment）２とはＵｕインタフェース（無線インタフェース）を介して、回線交換サービスあるいはパケット交換サービスを提供する交換機ネットワークであるコアネットワーク（ＣＮ）３とＩｕインタフェースを介して接続されている。ノードＢ６〜９とＲＮＣ４，５間のインタフェースはＩｕｂと称されており、ＲＮＣ４，５間のインタフェースとしてＩｕｒインタフェースも規定されている。なお、図１７の構成の詳細は３ＧＰＰ(Third Generation Partnership Projects)に規定されている（例えば、非特許文献１参照）。
【０００４】
ノードＢ６〜９は、無線送受信を行う論理的なノードを意味し、具体的には、無線基地局装置である。各ノードＢ６〜９は１つあるいは複数のセル１０をカバーするものであり、移動機（ＭＥ）２と無線インタフェースＵｕを介して接続されて無線回線を終端する。
【０００５】
ＲＮＣは、複数の無線基地局を制御することができ、無線リソースを管理し、ハンドオーバを制御するための役割を担っている。具体的にはＲＮＣ４，５は、ノードＢ６〜９の管理と、ソフトハンドオーバ時の無線パスの選択合成を行うものであり、その装置構成は、制御信号を転送するシグナリングのためのプロトコルであるＣ（Control）プレーンを制御する機能と、移動機（ＭＥ）２に関するユーザデータを転送するためのプロトコルであるＵ（User）プレーンを制御する機能との両制御機能が物理的に一体とされている。
【０００６】
ＭＥ２とＣＮ３との間の信号は、制御信号を転送制御するシグナリングのためのＣ(Control)プレーンとユーザデータを転送制御するＵ(User)プレーンプロトコルとを介してやりとりされ、物理レイヤ（ＰＨＹ）を除くＣプレーン制御機能とＵプレーン制御機能は、物理的に１つのＲＮＣ上で実現されている。
【０００７】
このようにＣプレーン制御機能とＵプレーン制御機能とが一体化された従来のＲＮＣを有する無線アクセスネットワークにおいては、シグナリングの処理能力を向上させたい場合には、Ｃプレーンの制御機能のみを追加すれば良いにもかかわらず、ＲＮＣそのものを追加することが必要である。また、ユーザデータの転送速度を向上させたい場合にも、Ｕプレーンの制御機能のみを追加すれば良いにもかかわらず、ＲＮＣそのものを追加することが必要である。したがって、従来のＲＮＣの構成では、拡張性（スケラビリティ）や柔軟性（フレキシビリティ）に富んだシステムを構築することが困難である。
【０００８】
そこで、ＲＡＮにおいて、Ｃプレーン制御機能とＵプレーン制御機能とを複数の装置に分離する検討が進められており、Ｃプレーンを制御するＣプレーン制御装置と、Ｕプレーンを制御するＵプレーン制御装置とを別装置として物理的に分離して設けることが提案されている。この構成によれば、シグナリングの処理能力を向上させたい場合には、Ｃプレーン制御装置のみを追加すれば良く、また、ユーザデータの転送速度を向上させたい場合には、Ｕプレーン制御装置のみを追加すれば良いため、スケラビリティに富んだシステムを構築することが可能となる。具体的な構成としては、例えば、１個のＣプレーン制御装置に対してｎ個のＵプレーン制御装置を帰属させる構成や、ｎ個のＣプレーン制御装置に対してｍ個のＵプレーン制御装置を帰属させる構成など、さまざまな構成が考えられる。さらに、ｎ個のＣプレーン制御装置に対してｍ個のＵプレーン制御装置を帰属させる構成とする場合には、１個のＵプレーン制御装置を２個以上のＣプレーン制御装置の配下に置く構成とすることも可能である。
【０００９】
例えば、既に本出願人は、特願２００２−１８５４１７において、Ｃプレーンを制御するＣプレーン制御装置とＵプレーンを制御するＵプレーン制御装置とを物理的に分離した別装置とするとともに、Ｃプレーン制御装置とＵプレーン制御装置の間で論理コネクションを確立し、Ｕプレーン装置が制御する無線ベアラを利用して、Ｃプレーン情報をＭＥに提供するための方法を提案している。
【００１０】
【非特許文献１】
3GPP TS 25.401 V5.4.0 (2002-09), "3rd Generation Partnership Project; Technical Specification Group Radio Access Network; UTRAN Overall Description (Release 5)"
【００１１】
【発明が解決しようとする課題】
しかしながら、無線アクセスネットワークにおいてＣプレーン制御装置とＵプレーン制御装置とを物理的に分離した場合には、これまではＲＮＣ内に閉じていたプロトコルエンティティ間での制御情報のやり取りが、複数の装置間で行われることとなり、制御情報のやり取りに時間がかかったり、制御情報のやり取りのための制御系統が複雑になるなどの問題が生じる。例えば、ＭＥがソフトハンドオーバの状態にある時に、新しい無線リンクの確立とこれまで接続していた無線リンクの解放とが迅速に行われず、ユーザの通信を遮断してしまう可能性が高くなるといった問題が生じる。
【００１２】
そこで本発明の目的は、Ｃプレーン制御機能とＵプレーン制御機能を物理的に複数の装置に分離させた構成において、制御系統を複雑にすることなく、プロトコルエンティティ間での制御情報のやり取りを迅速に行うことができる、無線アクセスネットワーク及び無線アクセスネットワークの動作制御方法を提供することにある。
【００１３】
【課題を解決するための手段】
本発明の無線アクセスネットワーク（ＲＡＮ）は、移動機（ＭＥ）に関するユーザデータの伝送制御を行う複数のユーザプレーンサーバ（ＵＰＳ）と、ユーザデータを伝送するための制御信号の伝送制御を行うコントロールプレーンサーバ（ＣＰＳ）とから構成されている無線基地局制御装置（ＲＮＣ）を有するＲＡＮにおいて、ＵＰＳは、ＭＥに関するユーザデータの伝送制御を行うプロトコルエンティティと、Ｕプレーン制御手段とを含み、ＣＰＳは、ユーザデータを伝送するための制御信号の伝送制御を行うプロトコルエンティティと、Ｃプレーン制御手段とを含み、Ｕプレーン制御手段とＣプレーン制御手段との間に、制御情報の送信用の論理コネクションが生成されて、Ｕプレーン制御手段及びＣプレーン制御手段は相互に送信の相手方となることを特徴とする。
【００１４】
本発明の無線アクセスネットワークにおいては、制御情報は、好ましくは、制御するプロトコルエンティティをＵＰＳとＣＰＳとの間で一意に識別するプロトコルエンティティ識別子を含む１つ以上の制御コマンドと、そのコマンドに対する１つ以上の確認応答コマンドとの少なくとも一方を含み、Ｃプレーン制御手段及びＵプレーン制御手段は、いずれも、受け取った要求と、制御するプロトコルエンティティと制御コマンドへの応答方法と応答時間との組とが１対１で対応付けられた第１のテーブルを備えることが好ましい。この場合、Ｃプレーン制御手段及びＵプレーン制御手段は、第１のテーブルを参照して制御情報を生成して相手方に送信し、受信した制御情報からプロトコルエンティティ識別子と制御コマンドの組を抽出して受信した制御情報に含まれる各プロトコルエンティティへ抽出した制御コマンドを配信し、各プロトコルエンティティから受信した確認応答から制御情報を生成して相手方に返信するようにする。
【００１５】
本発明の無線アクセスネットワークの動作制御方法は、無線基地局制御装置（ＲＮＣ）と、複数の基地局と、基地局の各々が管轄するセル内に存在する移動機（ＭＥ）とを含み、ＲＮＣは、ＭＥに関するユーザデータの伝送制御を行うプロトコルエンティティを有する複数のユーザプレーンサーバ（ＵＰＳ）と、ユーザデータを伝送するための制御信号の伝送制御を行うプロトコルエンティティを有するコントロールプレーンサーバ（ＣＰＳ）とから構成される無線アクセスネットワークにおける動作制御方法において、制御情報には、制御するプロトコルエンティティをＵＰＳとＣＰＳとの間で一意に識別するプロトコルエンティティ識別子を含む１つ以上の制御コマンドと、そのコマンドに対する１つ以上の確認応答コマンドとの少なくとも一方が含まれており、ＵＰＳ及びＣＰＳの双方において、受け取った要求と、制御するプロトコルエンティティと制御コマンドへの応答方法と応答時間との組とが１対１で対応付けられた第１のテーブルが設けられており、ＵＰＳとＣＰＳとの間に、相互に送信の相手方となるように、制御情報の送信のための論理コネクションを生成する段階と、第１のテーブルを参照して制御情報を生成して相手方に送信する段階と、受信した制御情報からプロトコルエンティティ識別子と制御コマンドの組を抽出して受信した制御情報に含まれる各プロトコルエンティティへ抽出した制御コマンドを配信する段階と、各プロトコルエンティティから受信した確認応答から制御情報を生成して相手方に返信する段階と、を有することを特徴とする。
【００１６】
【発明の実施の形態】
次に、本発明の好ましい実施の形態について、図面を参照して説明する。図１は、本発明の第１の実施形態の無線アクセスネットワークを含む移動通信システムの構成を示したものである。
【００１７】
この移動通信システムは、図１７に示した従来のシステムと同様に、移動機（ＭＥ）１２と接続する無線基地局１６と、複数の基地局１６を制御して無線リソースを管理しハンドオーバを制御する無線基地局制御装置（ＲＮＣ：Radio Network Controller）１４と、ＲＮＣ１４が接続し回線交換サービスやパケット交換サービスを提供するコアネットワーク（ＣＮ）１３と備えている。ＲＮＣ１４と基地局１６とによって、無線アクセスネットワーク（ＲＡＮ）を構成している。ここでは、ＲＮＣ１４、基地局１６及びＭＥ１２はそれぞれ１つずつしか描かれていないが、一般には、いずれのものも複数個存在する。具体的には、ＣＮ１３には複数のＲＮＣ１４が接続し、各ＲＮＣ１４にはそれぞれ複数の基地局１６が接続し、各基地局１６が管轄するセル内には、一般には複数のＭＥ１２が存在する。
【００１８】
本実施形態では、ＲＮＣ１４は、ＭＥ１２に関するユーザデータの伝送制御を行う複数のユーザプレーンサーバ（ＵＰＳ：User Plane Server）２２と、ユーザデータを伝送するための制御信号の伝送制御を行うコントロールプレーンサーバ（ＣＰＳ：Control Plane Server）２１とに分離されている。ＣＰＳ２１は、ＵＰＳ２２の上位レイヤとして位置づけられたＲＲＣ（無線リソース制御：Radio Resource Control）レイヤにおいてＲＲＣメッセージを生成、終端する機能を有しており、このＲＲＣメッセージの生成、終端のために、ＲＲＣ部４１を備えている。一方、ＵＰＳ２２は、ＭＡＣ（メディアアクセスコントロール：Media Access Control）＋ＦＰ（フレームプロトコル：Frame Protocol）レイヤとＲＬＣ（無線リンク制御：Radio Link Control）レイヤを制御する機能を有している。このような機能を実現するために、ＵＰＳ２２には、ＦＰレイヤを制御するＦＰ部４３と、ＭＡＣレイヤを制御するＭＡＣ部４４と、ＲＬＣレイヤのうちＣプレーンに関する部分を制御するＲＬＣ／Ｃ部４５と、ＲＬＣレイヤのうちＵプレーンに関する部分を制御するＲＬＣ／Ｕ部４６と、を備えている。各基地局１６は、ＰＨＹ（物理(PHYsical)）レイヤを制御する機能を有しており、この制御を実行するためにＰＨＹ部６１を備えている。コアネットワーク（ＣＮ）１３には、回線交換機能を有するＭＳＣ(Mobile Switching Center)３１と、パケット交換機能を有するＳＧＳＮ(Serving GPRS (Global Packet Radio Service) Switching Node)３２とが設けられている。
【００１９】
なお、この移動通信システムでは、図１に示すように、ここで示した各レイヤは、下位レイヤ側から、ＰＨＹレイヤ、ＦＰレイヤ、ＭＡＣレイヤ、ＲＬＣレイヤとなっている。そして、各レイヤが有する機能を制御する実体を本発明ではプロトコルエンティティと称している。すなわち。プロトコルエンティティとは、ＲＲＣ部４１、ＦＰ部４３、ＭＡＣ部４４、ＲＬＣ／Ｃ部４５、ＲＬＣ／Ｕ部４６及びＰＨＹ部６１の総称である。ＣＰＳ２１に設けられるプロトコルエンティティは、主として、ユーザデータを伝送するための制御信号の伝送制御を行い、ＵＰＳ２２に設けられるプロトコルエンティティは、主として、ユーザデータの伝送制御を行う。
【００２０】
さらに、ＲＮＣ１４をＣＰＳ２１と複数のＵＰＳ２２とから構成したことに関連して、ＣＰＳ２１は、ユーザデータを伝送するための制御信号の伝送制御を行うＣ(Control)プレーン制御部４２を備え、同様に各ＵＰＳ２２は、ＭＥ１２に関するユーザデータの伝送制御を行うＵ(User)プレーン制御部４７を備えている。そして、Ｕプレーン制御部４７とＣプレーン制御部４２との間に、制御情報送信用の論理コネクションを生成されている。ＣＰＳ２１とＵＰＳ２２との間でやり取りされる制御情報は、この論理コネクションを介して伝達される。ここで後述するように、制御情報は、制御するプロトコルエンティティをＵＰＳとＣＰＳとの間で一意に識別するプロトコルエンティティ識別子を含む１つ以上の制御コマンドを含んでいる。制御コマンドに対する１つ以上の確認応答コマンドも、制御情報の範疇に含まれる。
【００２１】
以下、Ｕプレーン制御部４７とＣプレーン制御部４２の基本的な機能について説明する。Ｕプレーン制御部４７及びＣプレーン制御部４２は、いずれも、ＭＥ１２、基地局１６あるいはＣＮ１３からの要求と、制御するプロトコルエンティティと制御コマンドへの応答方法と応答時間の組とが、１対１で対応付けられた第１のテーブルを備えている。そして、Ｕプレーン制御部４７及びＣプレーン制御部４２は、この第１のテーブルを参照して制御情報を生成し相手方となる制御部（Ｕプレーン制御部４７及びＣプレーン制御部４２のいずれか）に送信し、受信した制御情報からプロトコルエンティティ識別子と制御コマンドの組を抽出し、制御情報に含まれる各プロトコルエンティティに対して制御コマンドを配信するように構成されている。さらに、Ｕプレーン制御部４７及びＣプレーン制御部４２は、各プロトコルエンティティから受信した制御コマンドの確認応答から制御情報を生成し、相手方の制御部に対して返信するように構成されている。
【００２２】
そして上述したようにＵプレーン制御部４７とＣプレーン制御部４２との間には制御情報送信用の論理コネクションが生成され、この論理コネクション上でプロトコルエンティティを制御するための情報が送受信される。さらに、ＲＮＣ１４と無線基地局１６間のＮＢＡＰ(Node B Application Part)シグナリング及びＡＬＣＡＰ(Access Link Control Application Protocol)を制御するための情報は、基地局１６のＰＨＹ部６１からＵプレーン制御部４７を介して転送されるようになっている。
【００２３】
なお、基地局１６のＰＨＹ部６１とＵＰＳ２２のＦＰ部４３との間には物理チャネルが設定され、ＭＡＣ部４４とＲＬＣ／Ｃ部４５の間にはトランスポート（Ｔｒ）チャネルが設定され、ＲＬＣ／Ｃ部４５とＣＰＳ２１のＲＲＣ部４１の間には論理チャネルが設定される。ＭＥ１２とＲＮＣ１４との間のＲＲＣシグナリングに関しては、ＵＰＳ２２内においてＭＡＣ＋ＦＰ及びＲＬＣレイヤが提供する機能を利用した後、ＭＥ１２及びＣＰＳ２１内のＲＲＣ部４１へ転送されることになる。
【００２４】
ＲＮＣ１４とＭＳＣ３１との間、ＲＮＣ１４とＳＧＳＮ３２との間のシグナリングは、Ｃプレーンシグナリングとして、ＣＰＳ２１において終端して処理される。また、ユーザデータは、ＵＰＳ２２を経由して、ＭＥ１２とＭＳＣ３１やＳＧＳＮ２２との間で、Ｕプレーンユーザデータとして送受信される。
【００２５】
さらにこの移動通信システムでは、制御情報に、制御順に並べられた１つ以上の制御コマンドが含まれるようにしてもよい。この場合、Ｕプレーン制御部４７及びＣプレーン制御部４１は、受信した制御情報からプロトコルエンティティ識別子と制御コマンドの組をシーケンシャルに抽出し、抽出した制御情報に含まれる各プロトコルエンティティへ、抽出した順序にしたがって制御コマンドを配信し、また、制御コマンドに対する各プロトコルエンティティから受信した確認応答を制御コマンドを抽出した順序に並び替えて制御情報を生成し、その制御情報を相手方の制御部へ返信する。
【００２６】
次に、この移動通信システムにおける無線アクセスネットワークの動作制御について、図２、図３及び図４を用いて説明する。図２は、Ｕプレーン制御部４７とＣプレーン制御部４２と間での処理の流れを表わすフロー図であり、図３は、ＭＥ１２、基地局１６あるいはＣＮ１３からの要求と、制御コマンドへの応答方法と応答識別子と応答時間の組とを、１対１で対応付けた第１のテーブルの内容を示したものである。また、図４は、制御情報の一例を示している。
【００２７】
Ｃプレーン制御部４２は、ＭＥ１２、基地局１６あるいはＣＮ１３からの要求に応じて、図３に示した第１のテーブルを参照して制御情報を生成し（ステップＳ１０１）、Ｕプレーン制御部へ送信する（ステップＳ１０２）。なお、第１のテーブルは、Ｃプレーン制御部４２とＵプレーン制御部４７の双方に設けられており、Ｕプレーン制御部４７から制御コマンドを送信する場合においては、Ｕプレーン制御部４２に設けられた第１のテーブルが参照される。１つの第１のテーブルをＣプレーン制御部４２と複数のＵプレーン制御部４７とが共用することも可能である。
【００２８】
ここで制御情報では、図４で示すように、プロトコルエンティティ識別子（“ProtocolEntity”で始まる）と、コマンド名（例えば、セルセットアップ要求(Cell Setup Request)、共通トランスポートチャネルセットアップ要求(Common Transport Channel Setup Request)）及びコマンド識別子（“Command:”で始まる）と、コマンドの引数をなす０個以上の情報要素（パラメータ：Parameters）からなる１つ以上の制御コマンドが、制御順に配置されている。各制御コマンドの先頭には、制御コマンドであることを識別するために、“Command-”が配置されている。
【００２９】
Ｕプレーン制御部４７は、受信した制御情報から、プロトコルエンティティ識別子と制御コマンドの組を予め決められた順に抽出し（ステップＳ１０３）、抽出した順に記憶領域へ記憶し（ステップＳ１０４）、最初に抽出したプロトコルエンティティへその制御コマンドを送信し（ステップＳ１０５）、そのプロトコルエンティティからの応答を待つ。
【００３０】
その後、Ｕプレーン制御部４７は、プロトコルエンティティから制御コマンドへの応答を受信すると（ステップＳ１０６）、図４で示すように、プロトコルエンティティ識別子と、コマンド名（例えば、セルセットアップ応答(Cell Setup Response)、共通トランスポートチャネルセットアップ応答(Common Transport Channel Setup Response)）及びコマンド識別子と、受信した応答の内容からなる応答コマンドを生成し（ステップＳ１０７）、受信した順にＵプレーン制御部４７に付属する記憶領域へ記憶する（ステップＳ１０８）。その後、Ｕプレーン制御部４７は、記憶領域から、続いて制御するプロトコルエンティティを検索する（ステップＳ１０９）。記憶領域にそのようなプロトコルエンティティ識別子が存在する場合には、ステップＳ１０５へ進む。ステップＳ１０９においてそのようなプロトコルエンティティ識別子が存在しない場合には、Ｕプレーン制御部４７は、それまでに記憶領域へ記憶した応答コマンドから制御情報を生成し（ステップＳ１１０）、その制御情報をＣプレーン制御部４２へ送信して（ステップＳ１１１）、処理を終了する。
【００３１】
ここでは、プロトコルエンティティ識別子と、コマンド識別子と、情報要素の有無と、情報要素の内容、応答の内容は、予めＵＰＳ２２とＣＰＳ２１との間で決められていて、一意に識別されるものとする。また、ここでは、説明を簡略化するためにＣプレーン制御部４２から制御コマンドを送信する場合の動作の説明のみを示したが、Ｕプレーン制御部４７から制御コマンドを送信する場合においても同様の手順で行われ、Ｃプレーン制御部４２から制御コマンドを送信する場合と同等の効果が得られる。
【００３２】
以上説明したようにこの実施形態においては、Ｃプレーン制御機能とＵプレーン制御機能をＣＰＳ２１及びＵＰＳ２２として物理的に複数の装置に分離させた無線アクセスネットワーク（ＲＡＮ）において、ＣＰＳ２１にＣプレーン制御部４２を設け、ＵＰＳ２２にＵプレーン制御部４７を設け、これら両方の制御部４２，４７間に論理コネクション（リンク）を設定してその上で制御情報をやり取りするようにし、さらに、制御情報に含まれるコマンドに対してのアクションがまとめられた第１のテーブルを参照して応答するようにすることにより、制御情報のやり取りをすばやく行うことができて迅速な応答が可能となる。仮にＣプレーン制御部４２及びＵプレーン制御部４７を設けないこととすると、ＵＰＳ２２や基地局１６内の各プロトコルエンティティ（ＦＰ部４３、ＭＡＣ部４４、ＲＬＣ／Ｃ部４５、ＲＬＣ／Ｕ部４６及びＰＨＹ部６１）はそれぞれ別個にＣＰＳ２１との間で制御パス（リンク）を張ることとなり、その分、制御系統の構成が複雑になるとともに、迅速な応答が妨げられる。
【００３３】
以上、本発明の第１の実施形態について説明したが、本発明はこれに限定されるものではなく、種々の態様が可能である。以下、本発明の他の実施形態について説明する。
【００３４】
本発明の第２の実施形態の無線アクセスネットワークでは、制御コマンドに、さらに応答識別子が含まれるようにしている。その結果、Ｕプレーン制御部４７及びＣプレーン制御部４２は受信した制御情報からプロトコルエンティティ識別子と応答識別子、制御コマンドの組をシーケンシャルに抽出し、抽出したプロトコルエンティティ識別子と応答識別子の組をその制御部４７，４２の記憶領域へ記憶し、制御情報に含まれる各プロトコルエンティティに対し、抽出した順序にしたがって制御コマンドを配信し、さらに、抽出した応答識別子にしたがい、制御コマンドに対して各プロトコルエンティティから受信した確認応答から制御情報を生成し、その制御コマンドを相手方の制御部へ返信する。
【００３５】
また、制御情報がトランザクション識別子によりＵＰＳ２２とＣＰＳ２１との間で一意に識別されるようにしてもよい。このとき、制御情報は、トランザクション識別子と１つ以上の制御コマンドとを含んでおり、Ｕプレーン制御部４７及びＣプレーン制御部４２は、トランザクションを送信後、再送時間内に相手方の制御部からそのトランザクションに対する応答を受信できない場合に、トランザクションを再送するようにする。Ｕプレーン制御部４７及びＣプレーン制御部４２は、往復伝送時間と制御コマンドごとの応答時間の和をもとにトランザクションの再送時間を決定するようにすることが好ましい。
【００３６】
次に、この第２の実施形態の動作を説明する。図５は、Ｕプレーン制御部４７とＣプレーン制御部４２との間の処理を示すフロー図であり、図６は、制御情報の一例を示している。
【００３７】
まず、Ｃプレーン制御部４２は、ＭＥ１２、基地局１６あるいはＣＮ１３からの要求に応じて、トランザクション識別子を捕捉し、第１のテーブル（図３参照）を参照して制御情報を生成する（ステップＳ２０１）。その後、Ｃプレーン制御部４２は、ＵＰＳ２２との間で任意サイズのデータを伝送する際の往復伝送時間と、第１のテーブルに記載される制御コマンドごとの応答時間との和から、トランザクション応答待ち時間を決定し（ステップＳ２０２）、このトランザクション応答待ち時間後に起動するトランザクション応答待ちタイマを設定する（ステップＳ２０３）。さらにＣプレーン制御部４２は、トランザクション識別子とそのトランザクションへの応答数を対応付けて、Ｃプレーン制御部４２の記憶領域へ記憶し（ステップＳ２０４）、さきに生成した制御情報をＵプレーン制御部４７へ送信する（ステップＳ２０５）。
【００３８】
ここで制御情報では、図６で示すように、トランザクション識別子（“Transaction”で始まる）と、プロトコルエンティティ識別子と、応答識別子（“ReplyControl:”で始まる）と、コマンド名乃至コマンド識別子と、コマンドの引数をなす０個以上の情報要素とからなる１つ以上の制御コマンドが、制御順に配置される。
【００３９】
応答識別子は、例えば、（１）トランザクション内の全ての制御コマンドを処理した後に応答コマンドを含んだトランザクション応答を返す(Result-End)、（２）その制御コマンドを処理したタイミングで応答コマンドを含んだトランザクションを返す(Result-Soon)、（３）プロトコルエンティティからの応答は確認するが応答コマンドは生成しない(Reply)、（４）プロトコルエンティティからの応答の必要なし(Notify)、などを識別するものである。トランザクションに対して返されるトランザクション応答の数は、最後の応答識別子が“Result-Soon”の場合はトランザクションに含まれる“Result-Soon”の数、それ以外は“Result-Soon”の数に１加算したものとなる。
【００４０】
Ｕプレーン制御部４７は、上述したような制御情報からプロトコルエンティティ識別子と制御コマンドの組を予め決められた順に抽出して、Ｕプレーン制御部４７記憶領域へ記憶し（ステップＳ２０６）、最初に抽出したプロトコルエンティティに対してその制御コマンドを送信し（ステップＳ２０７）、応答識別子を確認する（ステップＳ２０８）。もし応答識別子が“Notify”の場合には、ステップＳ２０７へ進み、応答識別子がそれ以外の場合には、プロトコルエンティティからの応答を待つ。
【００４１】
その後、Ｕプレーン制御部４７は、プロトコルエンティティからその制御コマンドへの応答を受信すると（ステップＳ２０９）、応答識別子が“Result-Soon”か否か確認し（ステップＳ２１０）、応答識別子が“Result-Soon”の場合には、ステップＳ２１１へ進む。ステップＳ２１０において応答識別子がそれ以外の場合には、ステップＳ２１２へ進む。ステップＳ２１１では、Ｕプレーン制御部４７は、受信した応答の内容から制御情報を生成し、その制御情報をＣプレーン制御部４２へ送信し、ステップＳ２１４へ進む。ステップＳ２１２では、Ｕプレーン制御部４７は、応答識別子が“Reply”か否か確認し、応答識別子が“Reply”の場合には、ステップＳ２１４へ進み、応答識別子がそれ以外の場合には、生成した応答コマンドを記憶領域へ記憶し（ステップＳ２１３）、そののちステップＳ２１４に進む。
【００４２】
Ｕプレーン制御部４７は、ステップＳ２１４において、続いて制御するプロトコルエンティティを記憶領域から検索する。ここで、記憶領域にそのようなプロトコルエンティティ識別子が存在する場合には、ステップＳ２０７へ戻り、そのようなプロトコルエンティティ識別子が存在しない場合には、Ｕプレーン制御部４７は、それまでに記憶領域へ記憶した応答コマンドから制御情報を生成し、その制御情報をＣプレーン制御部４２へ送信する（ステップＳ２１５）。
【００４３】
Ｃプレーン制御部４２は、トランザクション応答数を確認する（ステップＳ２１６）。トランザクション応答数が２以上の場合には、そのトランザクション応答数から１を減算し（ステップＳ２１７）、次のトランザクション応答を待つ。一方、トランザクション応答数が２未満の場合には、記憶領域からそのトランザクション識別子とそのトランザクション応答数を消去して（ステップＳ２１８）、処理を終了する。
【００４４】
なお、トランザクション応答を待つ間に、トランザクション応答待ちタイマが起動した場合すなわちタイムアウトとなった場合には、例えば、ステップＳ２０１からの処理を繰り返すことによりトランザクションを再送する。あるいは、ＣＰＳ２１とＵＰＳ２２との間の伝送路が非常に信頼性が高いものであると考えられる場合には、トランザクションを再送せずに異常処理を行う、などが考えられる。また、ＣＰＳ２１とＵＰＳ２２との間に設定される往復伝送時間を長くすることで、次回のトランザクション応答待ち時間を長くすることも考えられる。
【００４５】
ここでは、トランザクション識別子、応答識別子は、予めシステムで決められ、一意に識別されるものとする。説明を簡略化するためにＣプレーン制御部４２から制御コマンドを送信する場合の動作の説明のみを示したが、Ｕプレーン制御部４７から制御コマンドを送信する場合においても同様の手順で行われ、Ｃプレーン制御部４２から制御コマンドを送信する場合と同等の効果が得られる。
【００４６】
次に、本発明の第３の実施形態について説明する。この実施形態では、上述の各実施形態において、制御情報には、トランザクション識別子と、プロトコルエンティティの制御対象（ＭＥ１２、基地局１６、基地局配下のセル）をＵＰＳ２２とＣＰＳ２１との間で一意に識別する１つ以上の制御対象識別子と、１つ以上の制御コマンドの組が含まれるものとする。この場合、ＵＰＳ２２が起動したタイミングで、Ｕプレーン制御部４７は、制御対象識別子を捕捉して、その制御対象識別子とＵＰＳ２２が管理するリソースとを対応付けてＵプレーン制御部４７の記憶領域へ記憶し、記憶した全ての制御対象識別子を含む制御情報をＣプレーン制御部４２へ送信する。また、Ｃプレーン制御部４２は、受信した制御情報に含まれる制御対象識別子とＣＰＳ２１が管理するリソースとを対応付けてＣプレーン制御部４２の記憶領域へ記憶する。さらに、Ｃプレーン制御部４２及びＵプレーン制御部４７は、受け付けた要求に含まれる制御対象識別子と一致する制御対象識別子をその記憶領域から検索し、制御対象識別子単位で、その要求と第１のテーブルを参照して制御コマンドを組み立てて制御情報を生成し、その制御情報を相手方の制御部へ送信するように構成されている。
【００４７】
次に、この第３の実施形態の動作を説明する。図７は、Ｕプレーン制御部４７とＣプレーン制御部４２との間の処理を示すフロー図であり、図８は、捕捉した制御対象識別子をＵプレーン制御部４７が送信する際の制御情報の一例を示しており、図９は、ＵＰＳ起動直後にＣプレーン制御部４２が基地局とセルを設定する際の制御情報の一例を示している。
【００４８】
Ｕプレーン制御部４７は、ＵＰＳが起動したタイミングで、プロトコルエンティティの制御対象を識別する制御対象識別子を捕捉し（ステップＳ３０１）、この制御対象識別子と、ＵＰＳ２２が管理するリソースを識別するリソース識別子とを対応付けてその記憶領域に記憶し（ステップＳ３０２）、さらに、捕捉した全ての制御対象識別子を含む制御情報をＣプレーン制御部４２へ送信する（ステップＳ３０３）。このときの制御情報の一例が図８に示されている。図８に示した制御情報は、トランザクション識別子、プロトコルエンティティ識別子（ここではプロトコルエンティティを指定しないために“None”が設定されている）、応答識別子、コマンド名及びコマンド識別子（ここでは、ＵＰＳ起動表示(UPS Start Indication)）を含むとともに、リソース識別子として、“LocalCell#1, LocalCell#2, Node B#1”が指定されている。
【００４９】
Ｃプレーン制御部４２は、受信した制御情報に含まれる制御対象識別子とＣＰＳ２１が管理するリソースとを対応付け、その記憶領域へ記憶する（ステップＳ３０４）。そののち、Ｃプレーン制御部４２は、ＭＥ１２、基地局１６あるいはＣＮ１３からの要求に応じて、その要求に含まれる制御対象識別子と一致する制御対象識別子をその記憶領域から検索し（ステップＳ３０５）、その制御対象識別子単位で制御コマンドを組み立て、制御情報を生成し（ステップＳ３０６）、生成した制御情報をＵプレーン制御部４７へ送信する（ステップＳ３０７）。このときの制御情報の一例が図９に示されている。この制御情報では、リソース識別子として、“Cell#1”が指定されている。
【００５０】
ここで、ＵＰＳ２２内のプロトコルエンティティは、図１で示しまた上述したように、下位レイヤのエンティティに対して論理チャネル、トランスポートチャネル、物理チャネルを提供しており、伝送信号の機能や特性、転送される情報の内容により、チャネルの選択や設定を行う。それらチャネルには、基地局配下のセル単位で割り当てられる共通チャネルと、無線アクセスネットワーク（ＲＡＮ）に接続するＭＥ１２単位で割り当てられる個別チャネルとが存在する。基地局１６内のプロトコルエンティティは、基地局１６とＭＥ１２との間の無線リンクの制御を行うとともに、基地局１６を設定する機能も兼ね備えている。したがって、プロトコルエンティティが制御する対象は、ＭＥ１２、基地局１６、基地局配下のセルである。これらの制御対象を識別するために、この実施形態では、ＭＥ１２、基地局１６、基地局配下のセル単位で制御対象識別子を捕捉し、ＵＰＳ２２が管理するリソースを識別するリソース識別子（例えば、ＬｏｃａｌＣｅｌｌ（ローカルセル）＃１，ＬｏｃａｌＣｅｌｌ＃２，…，Ｎｏｄｅ（ノード）Ｂ＃１，…など）と対応付けて記憶する。また、ＣＰＳ２１が管理するリソースは、ＣＰＳ２１配下の全てのＵＰＳ２２が管理するリソースであり、管理するリソースを識別するリソース識別子（例えば、Ｃｅｌｌ（セル）＃１，Ｃｅｌｌ＃２，…，Ｎｏｄｅ  Ｂ＃１，…など）と対応付け記憶する。これにより、Ｃプレーン制御部４２とＵプレーン制御部４７は、ＭＥ１２、基地局１６あるいはＣＮ１３からの要求に含まれる制御対象識別子から制御情報を生成することが可能である。
【００５１】
この第３の実施形態の説明では、説明を簡略化するためにＵＰＳ２２の起動後の動作の説明のみを示したが、同様の手順はＣＰＳ２１の起動後の動作にも適用することができ、その場合であっても、上述したものと同様の効果が得られる。
【００５２】
次に、本発明の第４の実施形態について説明する。この実施形態では、上述の各実施形態において、制御コマンドには、要求、コマンド名及びコマンド識別子と情報要素との組、要求をＵＰＳ２１とＣＰＳ２２との間で一意に識別する要求識別子と情報要素キーワードとの組のいずれか、あるいはそれらの組合せが含まれるものとし、さらに、Ｕプレーン制御部４７とＣプレーン制御部４２の少なくとも一方には、第２のテーブルが設けられるようにしている。ここで第２のテーブルは、要求識別子と情報要素キーワードの組と、情報要素とを１対Ｎで対応付けるものであり、この第２のテーブルを含む制御部（Ｕプレーン制御部４７とＣプレーン制御部４２の少なくとも一方）は、制御コマンドから要求識別子と情報要素キーワードとを抽出して制御コマンドを生成し、その制御コマンドを各プロトコルエンティティへ配信するように構成されている。
【００５３】
次に、この第４の実施形態の動作を説明する。図１０は、Ｕプレーン制御部４７とＣプレーン制御部４２との間の処理を示すフロー図であり、図１１は制御情報の一例を示しており、図１２は第２のテーブルの内容の一例を示している。
【００５４】
Ｃプレーン制御部４２は、ＭＥ１２、基地局１６あるいはＣＮ１３からの要求に応じて、第２のテーブルがそのＣプレーン制御部４２自体に存在するかどうかを調べる（ステップＳ４０１）。第２のテーブルが存在しない場合、Ｃプレーン制御部４２は、要求をそのまま挿入した制御情報を生成し（ステップＳ４０２）、ステップＳ４０６へ進む。第２のテーブルが存在する場合には、Ｃプレーン制御部４２は、第２のテーブルを参照し、要求に含まれる情報要素キーワードを検索する（ステップＳ４０３）。ここで情報要素キーワードが存在しない場合には、Ｃプレーン制御部４２は、要求識別子と情報要素キーワードとの組を含む制御情報を生成し（ステップＳ４０４）、ステップＳ４０６へ進む。一方、ステップＳ４０３において情報要素キーワードが存在する場合には、Ｃプレーン制御部４２は、第１のテーブルを参照し、コマンド識別子と情報要素との組を含む制御情報を生成し（ステップＳ４０５）、その制御情報をＵプレーン制御部４７へ送信する（ステップＳ４０６）。
【００５５】
このようにこの実施形態では、制御コマンドは、図１１に示すように、（１）ＭＥ１２、基地局１６あるいはＣＮ１３からの要求、（２）コマンド名及びコマンド識別子と情報要素との組、（３）その要求を識別する要求識別子と情報要素キーワードとの組、のいずれかであるか、それらの組合わせからなっている。また第２のテーブルの内容の一例が図１２に示されているが、ここに示したものでは、情報要素として、ＳＦ、アップリンクＳＩＲ目標値、ＰＣアルゴリズムが含まれている。
【００５６】
続いて、Ｕプレーン制御部４７は、まず。受信した制御コマンドがコマンド識別子を含むか否か確認する（ステップＳ４０７）。コマンド識別子を含む場合には、ステップＳ４１１へ進む。コマンド識別子を含まない場合には、Ｕプレーン制御部４７は、第２のテーブルがそのＵプレーン制御部４７自体に存在するかどうかを調べる（ステップＳ４０８）。ここで第２のテーブルが存在しない場合にはステップＳ４１０へ進み、第２のテーブルが存在する場合には、Ｕプレーン制御部４７は、その第２のテーブルを参照し、要求に含まれる情報要素キーワードを検索する（ステップＳ４０９）。情報要素キーワードが存在しない場合には、Ｕプレーン制御部４７は、エラー情報を含む制御情報を生成してＣプレーン制御部４２へ送信する（ステップＳ４１０）。これに対しステップＳ４０９において情報要素キーワードが存在する場合には、Ｕプレーン制御部４７は、第１のテーブルを参照してコマンド識別子と情報要素の組を含む制御コマンドを生成し、プロトコルエンティティへその制御コマンドを送信する（ステップＳ４１１）。
【００５７】
ここでは、説明を簡略化するためにＣプレーン制御部４２から制御コマンドを送信する場合の動作の説明のみを示したが、Ｕプレーン制御部４７から制御コマンドを送信する場合においても同様の手順で行われ、Ｃプレーン制御部４２から制御コマンドを送信する場合と同等の効果が得られる。また、移動通信システム内で第２のテーブルの所有者が予め定められている場合には、第２のテーブルの存在自体を探索するステップは省略することができる。
【００５８】
次に、本発明の第５の実施形態について説明する。この実施形態では、上述の第３あるいは第４の実施形態において、ＵＰＳ２２が起動したタイミングでＵプレーン制御部４７が制御対象識別子を連続した値で捕捉するとともに、Ｃプレーン制御部４２は、受信した制御情報に含まれる制御対象識別子とＣＰＳ２１が管理するリソースとを対応付けて、ＵＰＳ単位でグループ化してＣプレーン制御部４２の記憶領域へ記憶する。ここで、Ｕプレーン制御部４７及びＣプレーン制御部４２は、要求とＵＰＳ単位で一括制御するか否かを表わすフラグとが１対１で対応付けられた第３のテーブルを含んでおり、要求に含まれる制御対象識別子と一致する制御対象識別子を含むＵＰＳ単位グループをその記憶領域から検索し、ＵＰＳグループ単位で要求から制御コマンドを組み立てて制御情報を生成し、生成した制御情報を相手方の制御部へ送信する。
【００５９】
次に、第５の実施形態の動作を説明する。図１３は、Ｕプレーン制御部４７とＣプレーン制御部４２との間の処理を示すフロー図であり、図１４は第３のテーブルの内容の一例を示しており、図１５は制御情報の一例を示している。
【００６０】
Ｕプレーン制御部４７は、ＵＰＳ２２が起動したタイミングで、プロトコルエンティティの制御対象を識別する制御対象識別子を制御種別ごと（例えば、ＵＰＳ２２の配下の基地局、ＵＰＳ２２が管理するセルなど）にシーケンシャルに捕捉し（ステップＳ５０１）、制御対象識別子とＵＰＳが管理するリソースを識別するリソース識別子とを対応付けて、制御種別ごとにそのＵプレーン制御部４７の記憶装置へ記憶し（ステップＳ５０２）、制御種別と捕捉した全ての制御対象識別子との組を含む制御情報をＣプレーン制御部４２へ送信する（ステップＳ５０３）。
【００６１】
Ｃプレーン制御部４２は、受信した制御情報に含まれる制御対象識別子とＣＰＳ２１が管理するリソースとを対応付け、上述したような制御種別ごとにＣプレーン制御部４２の記憶領域へ記憶する（ステップＳ５０４）。そしてＣプレーン制御部４２は、ＭＥ１２、基地局１６あるいはＣＮ１３からの要求に応じて第３のテーブルを参照し、フラグを確認する（ステップＳ５０５）。図１４に示すように、第３のテーブルには、要求ごとに“Yes”または“No”のフラグが設定されており、“Yes”は一括制御を行うことを表わし、“No”は一括制御を行わないことを表わしている。ここでフラグが“No”の場合、Ｃプレーン制御部４２は、要求に含まれる制御対象識別子と一致する制御対象識別子を記憶領域から検索し（ステップＳ５０６）、その制御対象識別子単位で制御コマンドを組み立てて制御情報を生成し（ステップＳ５０７）、その制御情報をＵプレーン制御部４７へ送信する（ステップＳ５１０）。また第３のテーブルにおけるフラグが“Yes”の場合、Ｃプレーン制御部４２は、要求に含まれる制御対象識別子を含む制御種別を記憶領域から検索し（ステップＳ５０８）、その制御種別単位で制御コマンドを組み立てて制御情報を生成し（ステップＳ５０９）、ステップＳ５１０へ進んでその制御情報をＵプレーン制御部４７へ送信する。
【００６２】
Ｕプレーン制御部４７は、受信した制御コマンドが制御種別を含むか否か確認する（ステップＳ５１１）。制御種別を含まない場合には、Ｕプレーン制御部４７は、制御対象識別子と対応付けられたリソース識別子をその記憶領域から検索し（ステップＳ５１２）、検索されたリソース識別子を含む制御コマンドを生成し（ステップＳ５１３）、プロトコルエンティティへその制御コマンドを送信する（ステップＳ５１６）。一方、ステップＳ５１１において制御種別を含む場合には、Ｕプレーン制御部４７は、制御種別との組で記憶された全てのリソース識別子をその記憶領域から検索し（ステップＳ５１４）、検索された全てのリソース識別子を含む制御コマンドを生成し（ステップＳ５１５）、ステップＳ５１６へ進んでその制御コマンドをプロトコルエンティティに送信する。図１５はここでの制御情報の一例を示している。
【００６３】
以上、本発明の各実施形態について説明したが、無線アクセスネットワーク（ＲＡＮ）が、ＣＰＳ２１と、基地局機能とユーザデータの伝送制御を行うＵプレーン制御とが一体化されたＵＰＳとからなる構成においても、上述した各実施形態を適用することができる。図１６は、このようなＲＡＮの構成を示している。図１６に示されるＲＡＮは、図１に示したものと同様のものであるが、基地局がＵＰＳ２２から独立しては設けられておらず、ＵＰＳ２２が基地局機能を有してＭＥ（移動機）１２と直接接続している点で相違する。このため、図１に示すシステムにおいては基地局内に設けられていたＰＨＹ部６１は、図１６に示すシステムにおいては、ＵＰＳ２２内に設けられている。図１６に示したシステムにおいても、上述した各実施形態と同様の手順でＣプレーン制御部４２とＵプレーン制御部４７との間で制御情報がやり取りされ、その結果として、無線アクセスネットワークの動作制御が行われることになる。
【００６４】
【発明の効果】
以上説明したように本発明は、制御系統を複雑にすることなく、プロトコルエンティティ間での制御情報のやり取りを迅速に行うことができるようになる、という効果がある。
【図面の簡単な説明】
【図１】本発明の第１の実施形態の無線アクセスネットワークを含む移動通信システムの構成を示すブロック図である。
【図２】第１の実施形態での処理を示すフロー図である。
【図３】第１のテーブルの内容の一例を示す図である。
【図４】制御情報の一例を示す図である。
【図５】第２の実施形態での処理を示すフロー図である。
【図６】制御情報の一例を示す図である。
【図７】第３の実施形態での処理を示すフロー図である。
【図８】制御情報の一例を示す図である。
【図９】制御情報の一例を示す図である。
【図１０】第４の実施形態での処理を示すフロー図である。
【図１１】制御情報の一例を示す図である。
【図１２】第２のテーブルの内容の一例を示す図である。
【図１３】第５の実施形態での処理を示すフロー図である。
【図１４】第３のテーブルの内容の一例を示す図である。
【図１５】制御情報の一例を示す図である。
【図１６】本発明の他の実施形態の無線アクセスネットワークを含む移動通信システムの構成を示すブロック図である。
【図１７】従来の無線アクセスネットワークを含む移動通信システムである、Ｗ−ＣＤＭＡ通信システムの構成を示すブロック図である。
【符号の説明】
１    ＲＡＮ（無線アクセスネットワーク）
２，１２    ＭＥ（移動機）
３，１３    コアネットワーク
４，５，１４    ＲＮＣ（無線基地局制御装置）
６〜９、１６    無線基地局（ノードＢ）
１０    セル
２１    ＣＰＳ（コントロールプレーンサーバ）
２２    ＵＰＳ（ユーザプレーンサーバ）
３１    ＭＳＣ
３２    ＳＧＳＮ
４１    ＲＲＣ部
４２    Ｃプレーン制御部
４３    ＦＰ部
４４    ＭＡＣ部
４５    ＲＬＣ／Ｃ部
４６    ＲＬＣ／Ｕ部
４７    Ｕプレーン制御部
６１    ＰＨＹ部
【図１】
2004194064.tif 000003
【図２】
2004194064.tif 000004
【図３】
2004194064.tif 000005
【図４】
2004194064.tif 000006
【図５】
2004194064.tif 000007
【図６】
2004194064.tif 000008
【図７】
2004194064.tif 000009
【図８】
2004194064.tif 000010
【図９】
2004194064.tif 000011
【図１０】
2004194064.tif 000012
【図１１】
2004194064.tif 000013
【図１２】
2004194064.tif 000014
【図１３】
2004194064.tif 000015
【図１４】
2004194064.tif 000016
【図１５】
2004194064.tif 000017
【図１６】
2004194064.tif 000018
【図１７】
2004194064.tif 000019